(57)【特許請求の範囲】
【請求項１】
雄型コネクタ部と雌型コネクタ部を互いに嵌合方向に沿って嵌合させるスナップボタン型コネクタであって、
前記雄型コネクタ部は、第１の基部と前記第１の基部の表面上に前記嵌合方向に突出する凸部を有する雄型コネクタ本体と、前記凸部の周方向に互いに絶縁されて配列され且つそれぞれ前記第１の基部の裏面にまで延びる複数の第１の電極と、前記第１の基部の表面上に配置された少なくとも１つの位置決めキイを有し、
前記雌型コネクタ部は、第２の基部と前記第２の基部の表面上に前記嵌合方向に窪む凹部を有する雌型コネクタ本体と、前記凹部の周方向に互いに絶縁されて配列され且つそれぞれ前記第２の基部の裏面にまで延びる複数の第２の電極と、前記第２の基部の表面上に配置された少なくとも１つの被位置決めキイを有し、
前記雄型コネクタ部と前記雌型コネクタ部の嵌合時に、前記凸部と前記凹部が互いに嵌合すると共に前記位置決めキイと前記被位置決めキイが互いに嵌合することにより、前記複数の第１の電極と前記複数の第２の電極が互いに位置合わせされて導通し、
前記雄型コネクタ部の前記凸部は、前記嵌合方向の先端に、前記第１の基部の表面に接続される根本部よりも径方向に張り出す張り出し部を有し、
前記雌型コネクタ部の前記凹部は、前記第２の基部の表面から前記嵌合方向に延びる壁部により囲まれ、前記壁部に前記凹部の中心に向かって径方向に突出する突状部が形成され、
前記雄型コネクタ部と前記雌型コネクタ部の嵌合時に、前記凹部の前記突状部が前記凸部の前記張り出し部よりも前記根本部側に位置した状態で前記凸部に弾力的に接触し、
前記複数の第１の電極は、前記凸部の外周面から前記第1の基部の表面および前記第１の基部の外縁を経て前記第１の基部の裏面にまで延び、
前記第２の基部は、前記凹部の内側に位置する貫通孔を有し、
前記複数の第２の電極は、前記凹部の前記壁部の内面から前記貫通孔を経て前記第２の基部の裏面にまで延びていることを特徴とするスナップボタン型コネクタ。
【請求項２】
前記雄型コネクタ部の前記位置決めキイは、前記第１の基部の外縁に配置され且つ前記嵌合方向に突出し、
前記雌型コネクタ部の前記被位置決めキイは、前記第２の基部の外縁に配置され且つ前記嵌合方向に開放されている請求項１に記載のスナップボタン型コネクタ。
【請求項３】
雄型コネクタ部と雌型コネクタ部を互いに嵌合方向に沿って嵌合させるスナップボタン型コネクタであって、
前記雄型コネクタ部は、それぞれ、第１の基部と前記第１の基部の表面上に前記嵌合方向に突出する凸部を有する複数の雄型コネクタ本体と、前記複数の雄型コネクタ本体の前記凸部の周方向に互いに絶縁されて配列され且つそれぞれ前記第1の基部の裏面にまで延びる複数の第１の電極とを有し、
前記雌型コネクタ部は、それぞれ、第２の基部と前記第２の基部の表面上に前記嵌合方向に窪む凹部を有する複数の雌型コネクタ本体と、前記複数の雌型コネクタ本体の前記凹部の周方向に互いに絶縁されて配列され且つそれぞれ前記第２の基部の裏面にまで延びる複数の第２の電極とを有し、
前記雄型コネクタ部と前記雌型コネクタ部の嵌合時に、前記複数の雄型コネクタ本体の前記凸部と前記複数の雌型コネクタ本体の前記凹部が互いに嵌合することにより、前記複数の第１の電極と前記複数の第２の電極が互いに位置合わせされて導通し、
前記雄型コネクタ部の前記凸部は、前記嵌合方向の先端に、前記第１の基部の表面に接続される根本部よりも径方向に張り出す張り出し部を有し、
前記雌型コネクタ部の前記凹部は、前記第２の基部の表面から前記嵌合方向に延びる壁部により囲まれ、前記壁部に前記凹部の中心に向かって径方向に突出する突状部が形成され、
前記雄型コネクタ部と前記雌型コネクタ部の嵌合時に、前記凹部の前記突状部が前記凸部の前記張り出し部よりも前記根本部側に位置した状態で前記凸部に弾力的に接触し、
前記複数の第１の電極は、前記凸部の外周面から前記第１の基部の表面および前記第１の基部の外縁を経て前記第１の基部の裏面にまで延び、
前記第２の基部は、前記凹部の内側に位置する貫通孔を有し、
前記複数の第２の電極は、前記凹部の前記壁部の内面から前記貫通孔を経て前記第２の基部の裏面にまで延びていることを特徴とするスナップボタン型コネクタ。
【請求項４】
前記複数の雄型コネクタ本体の前記第１の基部は互いに連結され、
前記複数の雌型コネクタ本体の前記第２の基部は互いに連結されている請求項３に記載のスナップボタン型コネクタ。
【請求項５】
前記雌型コネクタ部の前記凹部は、前記壁部を周方向に複数の部分に分割するように前記嵌合方向に延びる複数のスリットを有する請求項１または３に記載のスナップボタン型コネクタ。
【請求項６】
前記雄型コネクタ本体は、前記第１の基部の外縁に配置され且つ前記嵌合方向に盛り上がる第１の隆起部を有し、
前記雌型コネクタ本体は、前記第２の基部の外縁に配置され且つ前記嵌合方向に盛り上がる第２の隆起部を有し、
前記雄型コネクタ部と前記雌型コネクタ部の嵌合時に、前記第１の隆起部と前記第２の隆起部が互いに接触する請求項１〜５のいずれか一項に記載のスナップボタン型コネクタ。
【請求項７】
前記雄型コネクタ本体および前記雌型コネクタ本体は、それぞれ、絶縁層で被覆された金属材料からなり、
前記複数の第１の電極および前記複数の第２の電極は、それぞれ、前記雄型コネクタ本体および前記雌型コネクタ本体の前記絶縁層上に配置されている請求項１〜６のいずれか一項に記載のスナップボタン型コネクタ。
【請求項８】
前記雄型コネクタ部および前記雌型コネクタ部は、それぞれ、布に固定される請求項１〜７のいずれか一項に記載のスナップボタン型コネクタ。
【請求項９】
前記雄型コネクタ部は、前記雄型コネクタ本体の前記第１の基部の裏面との間に前記布を挟んだ状態で前記第１の基部の裏面に取り付けられる第１の取り付け板を有し、
前記雌型コネクタ部は、前記雌型コネクタ本体の前記第２の基部の裏面との間に前記布を挟んだ状態で前記第２の基部の裏面に取り付けられる第２の取り付け板を有する請求項８に記載のスナップボタン型コネクタ。
【発明の詳細な説明】
【技術分野】
【０００１】
この発明は、スナップボタン型コネクタに係り、特に、ウエアラブルデバイスに接続されるスナップボタン型コネクタに関する。
【背景技術】
【０００２】
近年、各種センサ、通信装置等の端末機器をユーザの身体に装着した状態で動作させる、いわゆるウエアラブルデバイスが注目を浴びている。このウエアラブルデバイスでは、検出した情報を送出したり、電力の供給を受けるために、例えば、測定装置、電源装置等のデバイスに電気的に接続して使用される。この接続は、衣服に取り付けられたコネクタを介して行うことができるが、ウエアラブルデバイスの着脱時および衣服の洗濯時等には、コネクタによる接続を切り離す必要がある。
このため、例えば、特許文献１に開示されているように、スナップボタン型コネクタを用いてデバイス間の接続が行われている。
【０００３】
特許文献１に開示されたスナップボタン型コネクタは、図１５に示されるように、第１の布１に取り付けられた雄型スナップボタン２と、第２の布３に取り付けられた雌型スナップボタン４を有している。第１の布１および第２の布３は、導電性を有する布から構成され、雄型スナップボタン２および雌型スナップボタン４は、導電性を有する材料から形成されている。雄型スナップボタン２の凸部５が、雌型スナップボタン４の凹部６に挿入されて雌型スナップボタン４の２本の棒状ばね７で押さえられることにより、雄型スナップボタン２と雌型スナップボタン４が互いに電気的に接続され、これら雄型スナップボタン２および雌型スナップボタン４を介して第１の布１と第２の布３が互いに電気的に接続されることとなる。
【０００４】
このようなスナップボタン型コネクタを用いてウエアラブルデバイスの接続を行うことができ、また、ウエアラブルデバイスの着脱時および衣服の洗濯時等には、雄型スナップボタン２を雌型スナップボタン４から取り外してスナップボタン型コネクタによる接続を切り離すことができる。
【先行技術文献】
【特許文献】
【０００５】
【特許文献１】特開２０１５−１３５７２３号公報
【発明の概要】
【発明が解決しようとする課題】
【０００６】
しかしながら、特許文献１のスナップボタン型コネクタは、雄型スナップボタン２の全体および雌型スナップボタン４の全体が、それぞれ１つの電極として機能するため、複数の配線を接続しようとすると、配線数と同数のスナップボタン型コネクタを衣服に取り付けなければならず、ウエアラブルデバイスの小型化を損なうこととなる。
【０００７】
この発明は、このような従来の問題点を解消するためになされたもので、ウエアラブルデバイスの小型化を達成することができるスナップボタン型コネクタを提供することを目的とする。
【課題を解決するための手段】
【０００８】
第１の発明に係るスナップボタン型コネクタは、雄型コネクタ部と雌型コネクタ部を互いに嵌合方向に沿って嵌合させるスナップボタン型コネクタであって、
雄型コネクタ部は、第１の基部と第１の基部の表面上に嵌合方向に突出する凸部を有する雄型コネクタ本体と、凸部の周方向に互いに絶縁されて配列され且つそれぞれ第１の基部の裏面にまで延びる複数の第１の電極と、第１の基部の表面上に配置された少なくとも１つの位置決めキイを有し、
雌型コネクタ部は、第２の基部と第２の基部の表面上に嵌合方向に窪む凹部を有する雌型コネクタ本体と、凹部の周方向に互いに絶縁されて配列され且つそれぞれ第２の基部の裏面にまで延びる複数の第２の電極と、第２の基部の表面上に配置された少なくとも１つの被位置決めキイを有し、
雄型コネクタ部と雌型コネクタ部の嵌合時に、凸部と凹部が互いに嵌合すると共に位置決めキイと被位置決めキイが互いに嵌合することにより、複数の第１の電極と複数の第２の電極が互いに位置合わせされて導通し、
雄型コネクタ部の凸部は、嵌合方向の先端に、第１の基部の表面に接続される根本部よりも径方向に張り出す張り出し部を有し、
雌型コネクタ部の凹部は、第２の基部の表面から嵌合方向に延びる壁部により囲まれ、壁部に凹部の中心に向かって径方向に突出する突状部が形成され、
雄型コネクタ部と雌型コネクタ部の嵌合時に、凹部の突状部が凸部の張り出し部よりも根本部側に位置した状態で凸部に弾力的に接触し、
複数の第１の電極は、凸部の外周面から第１の基部の表面および第１の基部の外縁を経て第１の基部の裏面にまで延び、
第２の基部は、凹部の内側に位置する貫通孔を有し、
複数の第２の電極は、凹部の壁部の内面から貫通孔を経て第２の基部の裏面にまで延びているものである。
【０００９】
雄型コネクタ部の位置決めキイは、第1の基部の外縁に配置され且つ嵌合方向に突出し、雌型コネクタ部の被位置決めキイは、第２の基部の外縁に配置され且つ嵌合方向に開放されていることが好ましい。
【００１０】
第２の発明に係るスナップボタン型コネクタは、雄型コネクタ部と雌型コネクタ部を互いに嵌合方向に沿って嵌合させるスナップボタン型コネクタであって、
雄型コネクタ部は、それぞれ、第１の基部と第１の基部の表面上に嵌合方向に突出する凸部を有する複数の雄型コネクタ本体と、複数の雄型コネクタ本体の凸部の周方向に互いに絶縁されて配列され且つそれぞれ第１の基部の裏面にまで延びる複数の第１の電極とを有し、
雌型コネクタ部は、それぞれ、第２の基部と第２の基部の表面上に嵌合方向に窪む凹部を有する複数の雌型コネクタ本体と、複数の雌型コネクタ本体の凹部の周方向に互いに絶縁されて配列され且つそれぞれ第２の基部の裏面にまで延びる複数の第２の電極とを有し、
雄型コネクタ部と雌型コネクタ部の嵌合時に、複数の雄型コネクタ本体の凸部と複数の雌型コネクタ本体の凹部が互いに嵌合することにより、複数の第１の電極と複数の第２の電極が互いに位置合わせされて導通し、
雄型コネクタ部の凸部は、嵌合方向の先端に、第１の基部の表面に接続される根本部よりも径方向に張り出す張り出し部を有し、
雌型コネクタ部の凹部は、第２の基部の表面から嵌合方向に延びる壁部により囲まれ、壁部に凹部の中心に向かって径方向に突出する突状部が形成され、
雄型コネクタ部と雌型コネクタ部の嵌合時に、凹部の突状部が凸部の張り出し部よりも根本部側に位置した状態で凸部に弾力的に接触し、
複数の第１の電極は、凸部の外周面から第１の基部の表面および第１の基部の外縁を経て第１の基部の裏面にまで延び、
第２の基部は、凹部の内側に位置する貫通孔を有し、
複数の第２の電極は、凹部の壁部の内面から貫通孔を経て第２の基部の裏面にまで延びているものである。
好ましくは、複数の雄型コネクタ本体の第１の基部は互いに連結され、複数の雌型コネクタ本体の第２の基部は互いに連結されている。
【００１１】
雌型コネクタ部の凹部は、壁部を周方向に複数の部分に分割するように嵌合方向に延びる複数のスリットを有することが好ましい。
【００１２】
また、雄型コネクタ本体は、第1の基部の外縁に配置され且つ嵌合方向に盛り上がる第１の隆起部を有し、雌型コネクタ本体は、第２の基部の外縁に配置され且つ嵌合方向に盛り上がる第２の隆起部を有し、雄型コネクタ部と雌型コネクタ部の嵌合時に、第１の隆起部と第２の隆起部が互いに接触することが好ましい。
雄型コネクタ本体および雌型コネクタ本体は、それぞれ、絶縁層で被覆された金属材料からなり、複数の第1の電極および複数の第２の電極は、それぞれ、雄型コネクタ本体および雌型コネクタ本体の絶縁層上に配置されるように構成することができる。
また、雄型コネクタ部および雌型コネクタ部は、それぞれ、布に固定することができる。この場合、雄型コネクタ部は、雄型コネクタ本体の第1の基部の裏面との間に布を挟んだ状態で第1の基部の裏面に取り付けられる第１の取り付け板を有し、雌型コネクタ部は、雌型コネクタ本体の第２の基部の裏面との間に布を挟んだ状態で第２の基部の裏面に取り付けられる第２の取り付け板を有することが好ましい。
【発明の効果】
【００１３】
この発明によれば、雄型コネクタ部は、凸部と複数の第1の電極と少なくとも１つの位置決めキイを有し、雌型コネクタ部は、凹部と複数の第２の電極と少なくとも１つの被位置決めキイを有し、凸部と凹部を互いに嵌合させると共に位置決めキイと被位置決めキイを互いに嵌合させることで複数の第1の電極と複数の第２の電極が互いに位置合わせされて導通するので、ウエアラブルデバイスの小型化を達成することが可能となる。
【図面の簡単な説明】
【００１４】
【図１】嵌合前の実施の形態１に係るスナップボタン型コネクタを示す斜視図である。
【図２】実施の形態１に係るスナップボタン型コネクタに用いられた雄型コネクタ部を示す斜視図である。
【図３】実施の形態１に係るスナップボタン型コネクタに用いられた雄型コネクタ部を示す分解斜視図である。
【図４】実施の形態１に係るスナップボタン型コネクタに用いられた雄型コネクタ部の雄型コネクタ本体を示し、（Ａ）は平面図、（Ｂ）は側面図、（Ｃ）は底面図である。
【図５】実施の形態１に係るスナップボタン型コネクタに用いられた雌型コネクタ部を示す斜視図である。
【図６】実施の形態１に係るスナップボタン型コネクタに用いられた雌型コネクタ部を示す分解斜視図である。
【図７】実施の形態１に係るスナップボタン型コネクタに用いられた雌型コネクタ部の雌型コネクタ本体を示し、（Ａ）は平面図、（Ｂ）は側面図、（Ｃ）は底面図である。
【図８】嵌合時の実施の形態１に係るスナップボタン型コネクタを示す斜視図である。
【図９】嵌合時の実施の形態１に係るスナップボタン型コネクタを示す側面図である。
【図１０】図９のＡ−Ａ線断面図である。
【図１１】実施の形態２に係るスナップボタン型コネクタに用いられた雄型コネクタ部の雄型コネクタ本体を示す斜視図である。
【図１２】実施の形態２に係るスナップボタン型コネクタに用いられた雄型コネクタ部の雄型コネクタ本体を示し、（Ａ）は平面図、（Ｂ）は側面図、（Ｃ）は底面図である。
【図１３】実施の形態２に係るスナップボタン型コネクタに用いられた雌型コネクタ部の雌型コネクタ本体を示す斜視図である。
【図１４】実施の形態２に係るスナップボタン型コネクタに用いられた雌型コネクタ部の雌型コネクタ本体を示し、（Ａ）は平面図、（Ｂ）は側面図、（Ｃ）は底面図である。
【図１５】従来のスナップボタン型コネクタを示す断面図である。
【発明を実施するための形態】
【００１５】
以下、この発明の実施の形態を添付図面に基づいて説明する。
実施の形態１
図１に実施の形態１に係るスナップボタン型コネクタの構成を示す。スナップボタン型コネクタは、互いに嵌合軸Ｃに沿って嵌合方向に嵌合される雄型コネクタ部１１と雌型コネクタ部２１を備えている。
【００１６】
図２に示されるように、雄型コネクタ部１１は、雄型コネクタ本体１２と、雄型コネクタ本体１２に取り付けられる第１の取り付け板１３を有している。雄型コネクタ本体１２は、嵌合軸Ｃに対して垂直な円板形状の第1の基部１４を有し、第1の基部１４の中心部で且つ第1の基部１４の表面１４Ａ上に嵌合方向に突出する凸部１５が形成されている。また、第1の基部１４の表面１４Ａの外縁に嵌合方向に盛り上がる環状の第1の隆起部１６が形成されると共に第1の基部１４の外縁に第1の隆起部１６から嵌合方向に突出する３つの位置決めキイ１７が形成されている。３つの位置決めキイ１７は、嵌合軸Ｃの回りに１２０度間隔で配置されている。
【００１７】
第１の取り付け板１３は、雄型コネクタ本体１２の第1の基部１４の裏面１４Ｂ上に取り付けられ、図３に示されるように、第1の基部１４の裏面１４Ｂに向かって突出する複数の第1の突起１８を有している。
図４Ａ〜４Ｃに、雄型コネクタ本体１２の構成を示す。図４Ｂに示されるように、雄型コネクタ本体１２の凸部１５は、嵌合方向の先端に張り出し部１５Ａを有している。張り出し部１５Ａは、第1の基部１４の表面１４Ａに接続される根本部１５Ｂの外径よりも大きな外径を有しており、根本部１５Ｂよりも径方向に張り出している。
【００１８】
また、図４Ａに示されるように、雄型コネクタ本体１２の第1の基部１４の表面１４Ａ上には、３つの位置決めキイ１７とは異なる回転位置で且つ凸部１５の周方向に互いに絶縁されて１２０度間隔で配列された３つの第1の電極１９が形成されている。それぞれの第1の電極１９は、凸部１５の外周面から第1の基部１４の表面１４Ａおよび第1の隆起部１６の表面を経て、図４Ｂおよび４Ｃに示されるように、第1の基部１４の裏面１４Ｂにまで延びている。
さらに、図４Ｃに示されるように、第1の基部１４の裏面１４Ｂには、複数の第1の嵌合孔２０が形成されている。複数の第1の嵌合孔２０は、第１の取り付け板１３の複数の第1の突起１８に対応する位置に配置されており、雄型コネクタ本体１２の第1の基部１４の裏面１４Ｂと第１の取り付け板１３との間に図示しない第１の布を挟んだ状態で、第１の取り付け板１３の複数の第1の突起１８が嵌合するように構成されている。複数の第１の突起１８と複数の第１の嵌合孔２０の嵌合により、第１の布が雄型コネクタ部１１に保持されることとなる。
【００１９】
図５に示されるように、雌型コネクタ部２１は、雌型コネクタ本体２２と、雌型コネクタ本体２２に取り付けられる第２の取り付け板２３を有している。雌型コネクタ本体２２は、嵌合軸Ｃに対して垂直な円板形状の第２の基部２４を有し、第２の基部２４の中心部で且つ第２の基部２４の表面２４Ａ上に嵌合方向に窪む凹部２５が形成されている。また、第２の基部２４の表面２４Ａの外縁に嵌合方向に盛り上がる第２の隆起部２６が形成されると共に第２の隆起部２６および第２の基部２４が切り欠かれることで嵌合方向に開放された３つの被位置決めキイ２７が形成されている。３つの被位置決めキイ２７は、嵌合軸Ｃの回りに１２０度間隔で配置され、それぞれ、雄型コネクタ本体１２の位置決めキイ１７が挿入されるように位置決めキイ１７よりもわずかに大きく形成されている。
【００２０】
第２の取り付け板２３は、雌型コネクタ本体２２の第２の基部２４の裏面２４Ｂ上に取り付けられ、図６に示されるように、第２の基部２４の裏面２４Ｂに向かって突出する複数の第２の突起２８を有している。
雌型コネクタ本体２２の凹部２５は、第２の基部２４の表面２４Ａから嵌合方向に延びる壁部２５Ａにより囲まれており、壁部２５Ａに凹部２５の中心に向かって径方向に突出する突状部２５Ｂが形成されている。また、凹部２５は、雄型コネクタ本体１２の凸部１５に対応した大きさを有しており、突状部２５Ｂにおける内径は、凸部１５の張り出し部１５Ａの外径よりわずかに小さく且つ凸部１５の根本部１５Ｂの外径よりわずかに大きい値に設定されている。
【００２１】
さらに、壁部２５Ａには、３つの被位置決めキイ２７と同じ回転位置に位置する３つのスリット２５Ｃが形成されている。これらのスリット２５Ｃは、嵌合方向に延びて壁部２５Ａを周方向に３つの部分に分割している。さらに、凹部２５の内側には、第２の基部２４を嵌合方向に貫通する貫通孔２５Ｄが形成されている。
【００２２】
図７Ａ〜７Ｃに、雌型コネクタ本体２２の構成を示す。図７Ａに示されるように、雌型コネクタ本体１２の壁部２５Ａの内面には、凹部２５の周方向に互いに絶縁されて１２０度間隔で配列された３つの第２の電極２９が形成されている。それぞれの第２の電極２９は、凹部２５の壁部２５Ａの内面から貫通孔２５Ｄを経て、図７Ｃに示されるように、第２の基部２４の裏面２４Ｂにまで延びている。
さらに、図７Ｃに示されるように、第２の基部２４の裏面２４Ｂには、複数の第２の嵌合孔３０が形成されている。複数の第２の嵌合孔３０は、第２の取り付け板２３の複数の第２の突起２８に対応する位置に配置されており、雌型コネクタ本体２２の第２の基部２４の裏面２４Ｂと第２の取り付け板２３との間に図示しない第２の布を挟んだ状態で、第２の取り付け板２３の複数の第２の突起２８が嵌合するように構成されている。複数の第２の突起２８と複数の第２の嵌合孔３０の嵌合により、第２の布が雌型コネクタ部２１に保持されることとなる。
【００２３】
雄型コネクタ部１１の雄型コネクタ本体１２を、絶縁層で被覆された金属材料から形成し、絶縁層の上に３つの第1の電極１９を配置することができる。これにより、雄型コネクタ本体１２の形成材料として金属を用いながらも、３つの第1の電極１９を互いに絶縁して配置することが可能となる。
同様に、雌型コネクタ部２１の雌型コネクタ本体２２を、絶縁層で被覆された金属材料から形成し、絶縁層の上に３つの第２の電極２９を配置することができる。これにより、雌型コネクタ本体２２の形成材料として金属を用いながらも、３つの第２の電極２９を互いに絶縁して配置することが可能となる。さらに、雌型コネクタ本体２２の凹部２５を形成する壁部２５Ａが３つのスリット２５Ｃにより周方向に３つの部分に分割されているので、金属材料を使用しながらも、スリット２５Ｃにより分割されたそれぞれの壁部２５Ａの部分は、径方向、すなわち嵌合軸Ｃに向かう方向に弾性変形可能に形成されている。
【００２４】
このような構成を有する雄型コネクタ部１１および雌型コネクタ部２１は、雄型コネクタ本体１２の凸部１５と雌型コネクタ本体２２の凹部２５を対向させた状態で、互いに接近するように嵌合軸Ｃに沿って相対的に移動させることにより、図８および９に示されるように嵌合される。
【００２５】
嵌合の際には、雄型コネクタ本体１２の３つの位置決めキイ１７が雌型コネクタ本体２２の３つの被位置決めキイ２７にそれぞれ挿入されると同時に、雄型コネクタ本体１２の凸部１５が雌型コネクタ本体２２の凹部２５内に挿入され始め、凸部１５の張り出し部１５Ａが凹部２５の壁部２５Ａに接触して、スリット２５Ｃにより周方向に３つの部分に分割されている壁部２５Ａの分割部分をそれぞれ嵌合軸Ｃから離れるように径方向に弾性変形させる。そして、図１０に示されるように、凸部１５の張り出し部１５Ａが凹部２５の壁部２５Ａの突状部２５Ｂよりも第２の取り付け板２３側に位置したところで、雄型コネクタ本体１２の第1の隆起部１６と雌型コネクタ本体２２の第２の隆起部２６が嵌合方向に接触し、雄型コネクタ部１１と雌型コネクタ部２１の嵌合が完了する。
【００２６】
このとき、凹部２５の突状部２５Ｂが凸部１５の張り出し部１５Ａよりも根本部１５Ｂ側に位置した状態で凸部１５に弾力的に接触し、これにより、図１０では図示が省略されているが、凸部１５の外周面に配置された３つの第1の電極１９と凹部２５の壁部２５Ａの内面に配置された３つの第２の電極２９が、それぞれ導通されることとなる。
また、雄型コネクタ本体１２の３つの位置決めキイ１７と雌型コネクタ本体２２の３つの被位置決めキイ２７が嵌合することで、３つの第1の電極１９と３つの第２の電極２９の位置合わせがなされる。
【００２７】
そこで、雄型コネクタ部１１の３つの第1の電極１９に対応して表面上に３つの配線部が互いに絶縁されて配置された第１の布を、雄型コネクタ本体１２と第１の取り付け板１３との間に挟んで、第１の布の３つの配線部を雄型コネクタ本体１２の第1の基部１４の裏面１４Ｂ上に位置する３つの第1の電極１９に接続すると共に、同様に、雌型コネクタ部２１の３つの第２の電極２９に対応して表面上に３つの配線部が互いに絶縁されて配置された第２の布を雌型コネクタ本体２２と第２の取り付け板２３との間に挟んで、第２の布の３つの配線部を雌型コネクタ本体２２の第２の基部２４の裏面２４Ｂ上に位置する３つの第２の電極２９に接続しておけば、雄型コネクタ部１１を雌型コネクタ部２１に嵌合するだけで、第１の布の３つの配線部と第２の布の３つの配線部との間の接続を行うことが可能となる。
【００２８】
また、嵌合状態にある雄型コネクタ部１１と雌型コネクタ部２１を互いに嵌合軸Ｃに沿って離れるように移動させることにより、雄型コネクタ本体１２の凸部１５を雌型コネクタ本体２２の凹部２５から引き抜いて、雄型コネクタ部１１の３つの第1の電極１９と雌型コネクタ部２１の３つの第２の電極２９の接続を解消することができる。
【００２９】
なお、雄型コネクタ部１１の雄型コネクタ本体１２および雌型コネクタ部２１の雌型コネクタ本体２２が、絶縁層で被覆された金属材料から形成されているが、これに限るものではなく、雄型コネクタ本体１２および雌型コネクタ本体２２を絶縁性の樹脂から形成することもできる。この場合には、絶縁層による被覆は不要となり、絶縁性の樹脂の表面上に直接３つの第1の電極１９または３つの第２の電極２９を配置しても、電極相互間の絶縁性を維持することができる。
また、絶縁性の樹脂から形成することで、スリット２５Ｃを形成しなくても、雌型コネクタ本体２２の凹部２５の壁部２５Ａがある程度の弾力性を有して、雄型コネクタ本体１２の凸部１５を雌型コネクタ本体２２の凹部２５に弾力的に嵌合させることができる場合には、凹部２５の壁部２５Ａはスリット２５Ｃを有していなくてもよい。
【００３０】
上記の実施の形態１では、雄型コネクタ部１１において、雄型コネクタ本体１２の第1の基部１４の裏面１４Ｂと第１の取り付け板１３の間に第１の布を挟んだ状態で、第１の取り付け板１３の複数の第1の突起１８を雄型コネクタ本体１２の複数の第1の嵌合孔２０に嵌合させることにより、第１の布を雄型コネクタ部１１に保持させている。同様に、雌型コネクタ部２１において、雌型コネクタ本体２２の第２の基部２４の裏面２４Ｂと第２の取り付け板２３の間に第２の布を挟んだ状態で、第２の取り付け板２３の複数の第２の突起２８を雌型コネクタ本体２２の複数の第２の嵌合孔３０に嵌合させることにより、第２の布を雌型コネクタ部２１に保持させている。しかしながら、これに限るものではなく、既存の洋服製造設備で行われているようなスナップボタンおよび洋服ボタンの取り付け方法を採用して、雄型コネクタ部１１および雌型コネクタ部２１を第１の布および第２の布に取り付けることもできる。
【００３１】
例えば、金属材料からなる雄型コネクタ本体１２の第1の基部１４の裏面１４Ｂに切り込みを入れて爪部を形成し、第１の布を挟みつつ爪部を変形することにより、第１の布に雄型コネクタ部１１を取り付けてもよく、あるいは、手芸糸を用いて第１の布に雄型コネクタ部１１を縫い止めることもできる。さらに、導電性の糸を用いて第１の布の配線部に雄型コネクタ部１１の対応する第１の電極１９を直接縫い止めてもよい。第２の布に対する雌型コネクタ部２１の取り付けについても雄型コネクタ部１１と同様である。
【００３２】
また、上記の実施の形態１では、雄型コネクタ本体１２の３つの位置決めキイ１７を雌型コネクタ本体２２の３つの被位置決めキイ２７にそれぞれ嵌合させているが、位置決めキイ１７および被位置決めキイ２７は、それぞれ１つでも、２つでも、あるいは、４つ以上でもよい。例えば、１つの位置決めキイ１７と１つの被位置決めキイ２７を嵌合させる構成にすれば、３つの第1の電極１９と３つの第２の電極２９を１対１に対応させて、特定の第1の電極１９と第２の電極２９を接続させることができる。同様に、嵌合軸Ｃの回りに非対称な形状または配置位置で１つ以上の位置決めキイ１７と被位置決めキイ２７とを嵌合させることにより、特定の第1の電極１９と第２の電極２９を接続させることができる。
なお、雄型コネクタ部１１に配置される第1の電極１９の個数および雌型コネクタ部２１に配置される第２の電極２９の個数は、それぞれ３つに限るものではなく、２つ、あるいは４つ以上であってもよい。
【００３３】
実施の形態２
図１１に、実施の形態２に係るスナップボタン型コネクタの雄型コネクタ部の雄型コネクタ本体３１を示す。雄型コネクタ本体３１は、１つの第1の基部３２に互いに間隔を隔てて２つの凸部１５が配置されたものである。
図１２（Ａ）〜（Ｃ）に示されるように、それぞれの凸部１５は、第1の基部３２の表面３２Ａ上に形成され、それぞれの凸部１５の外周面に３つの第1の電極１９が配置されている。３つの第1の電極１９は、それぞれ、凸部１５の外周面から第1の基部３２の表面３２Ａを経て、第1の基部３２の裏面３２Ｂにまで延びている。
【００３４】
図１３に、実施の形態２に係るスナップボタン型コネクタの雌型コネクタ部の雌型コネクタ本体４１を示す。雌型コネクタ本体４１は、１つの第２の基部４２に互いに間隔を隔てて２つの凹部２５が配置されたものである。２つの凹部２５の中心間距離は、雄型コネクタ本体３１の２つの凸部１５の中心間距離に等しい値に設定されている。
図１４（Ａ）〜（Ｃ）に示されるように、それぞれの凹部２５は、第２の基部４２の表面４２Ａ上に形成され、それぞれの凹部２５を形成する壁部２５Ａの内面に３つの第２の電極２９が配置されている。３つの第２の電極２９は、それぞれ、凹部２５の壁部２５Ａの内面から貫通孔２５Ｄを経て、第２の基部４２の裏面４２Ｂにまで延びている。
【００３５】
このような雄型コネクタ本体３１の２つの凸部１５を雌型コネクタ本体４１の２つの凹部２５に嵌合させることにより、それぞれの凸部１５と凹部２５の相対的な回転位置関係が定まり、自動的にそれぞれの凸部１５および凹部２５に対応する３つの第1の電極１９と３つの第２の電極２９の位置合わせがなされることとなる。このため、実施の形態１に示したような位置決めキイ１７および被位置決めキイ２７を用いることなく、雄型コネクタ本体３１と雌型コネクタ本体４１を嵌合軸Ｃに沿って嵌合させるだけで、合計６つの第1の電極１９と６つの第２の電極２９を接続することが可能となる。
【００３６】
なお、雄型コネクタ本体３１と雌型コネクタ本体４１の布への取り付けについては、実施の形態１と同様に、図示しない第１の取り付け板および第２の取り付け板を用いて雄型コネクタ本体３１の第1の基部３２の裏面３２Ｂおよび雌型コネクタ本体４１の第２の基部４２の裏面４２Ｂとの間にそれぞれ布を挟む等の方法により行うことができる。
【００３７】
また、雄型コネクタ本体３１の第1の基部３２の表面３２Ａの外縁に嵌合方向に盛り上がる第１の隆起部を形成すると共に、雌型コネクタ本体４１の第２の基部４２の表面４２Ａの外縁に嵌合方向に盛り上がる第２の隆起部を形成し、雄型コネクタ本体３１と雌型コネクタ本体４１を嵌合したときに、雄型コネクタ本体３１の第１の隆起部と雌型コネクタ本体４１の第２の隆起部が互いに接触するように構成することもできる。このような隆起部は、雄型コネクタ本体３１と雌型コネクタ本体４１のうちの一方にのみ形成して、嵌合時に、この隆起部と雄型コネクタ本体３１と雌型コネクタ本体４１のうち他方の基部の表面とが接触するように構成してもよい。
【００３８】
上記の実施の形態２では、雄型コネクタ本体３１が、１つの第1の基部３２に配置された２つの凸部１５を有しているが、これに限るものではなく、２つの凸部１５が互いに異なる２つの第1の基部にそれぞれ配置され、２つの第1の基部が互いに連結されている構成とすることもできる。２つの第1の基部を互いに一体に形成することにより互いに連結して、１つの第1の基部３２としたものが、図１１および１２に示される雄型コネクタ本体３１である。
同様に、雌型コネクタ本体４１においても、２つの凹部２５が互いに異なる２つの第２の基部にそれぞれ配置され、２つの第２の基部が互いに連結されている構成とすることもできる。２つの第２の基部を互いに一体に形成することにより互いに連結して、１つの第２の基部４２としたものが、図１３および１４に示される雌型コネクタ本体４１である。
【００３９】
なお、雄型コネクタ本体３１に配置される凸部１５の個数および雌型コネクタ本体４１に配置される凹部２５の個数は、２つに限るものではなく、３つ以上であってもよい。
【符号の説明】
【００４０】
１  第１の布、２  雄型スナップボタン、３  第２の布、４  雌型スナップボタン、５  凸部、６  凹部、７  棒状ばね、１１  雄型コネクタ部、１２，３１  雄型コネクタ本体、１３  第１の取り付け板、１４，３２  第1の基部、１４Ａ，３２Ａ  第1の基部の表面、１４Ｂ，３２Ｂ  第1の基部の裏面、１５  凸部、１５Ａ  張り出し部、１５Ｂ  根本部、１６  第1の隆起部、１７  位置決めキイ、１８  第1の突起、１９  第1の電極、２０  第1の嵌合孔、２１  雌型コネクタ部、２２，４１  雌型コネクタ本体、２３  第２の取り付け板、２４，４２  第２の基部、２４Ａ，４２Ａ  第２の基部の表面、２４Ｂ，４２Ｂ  第２の基部の裏面、２５  凹部、２５Ａ  壁部、２５Ｂ  突状部、２５Ｃ  スリット、２５Ｄ  貫通孔、２６  第２の隆起部、２７  被位置決めキイ、２８  突起、２９  第２の電極、３０  第２の嵌合孔、Ｃ  嵌合軸。
【図１】
0006734680.tif 000002
【図２】
0006734680.tif 000003
【図３】
0006734680.tif 000004
【図４】
0006734680.tif 000005
【図５】
0006734680.tif 000006
【図６】
0006734680.tif 000007
【図７】
0006734680.tif 000008
【図８】
0006734680.tif 000009
【図９】
0006734680.tif 000010
【図１０】
0006734680.tif 000011
【図１１】
0006734680.tif 000012
【図１２】
0006734680.tif 000013
【図１３】
0006734680.tif 000014
【図１４】
0006734680.tif 000015
【図１５】
0006734680.tif 000016